(57)【要約】【課題】デジタル光学機器の校正方法およびデジタル光学機器を提供する。【解決手段】本発明は、少なくとも電動ズーム系（１６）、対物レンズ（１３）、画像センサ（０６）、および画像処理装置を含む光学機器を校正する方法に関する。本方法は、基準対物レンズ（１０）を取り付けたズーム系（１６）の校正データＤＺＲｅｆを確定し、これらをズーム系（１６）の内部メモリに保存するステップ、基準ズーム系（０９）に取り付けられた対物レンズの（１３）の校正データＤＯＲｅｆを確定して、これらを対物レンズの（１３）の内部メモリに保存するステップ、およびズーム系（１６）および対物レンズの（１３）の内部メモリを読み出して、画像センサにより得られた画像に対し校正データＤＺＲｅｆおよびＤＯＲｅｆを用いてデジタル光学的補正を適用するステップを含む。本発明は更に、本発明による校正方法を適用可能な光学機器、特にデジタル顕微鏡に関する。【選択図】      図６
2015031957.tif 000002
【特許請求の範囲】
【請求項１】
少なくとも電動化または符号化されたズーム系（１６）、対物レンズ（１３）、画像センサ（０６）、および画像処理装置を含むデジタル光学機器を校正する方法であって、
−  基準対物レンズ（１０）を取り付けた前記ズーム系（１６）の校正データＤＺＲｅｆを確定し、これらを前記ズーム系（１６）の内部メモリに保存するステップと、
−  基準ズーム系（０９）に取り付けられた前記対物レンズ（１３）の校正データＤＯＲｅｆを確定して、これらを前記対物レンズ（１３）の内部メモリに保存するステップと、
−  前記ズーム系（１６）および前記対物レンズ（１３）の内部メモリを読み出して、画像センサにより得られた画像に対し前記校正データＤＺＲｅｆおよびＤＯＲｅｆを用いてデジタル光学的補正を適用するステップを含む方法。
【請求項２】
前記基準対物レンズ（１０）を取り付けた前記基準ズーム系（０９）の校正が最初に実行され、校正テーブル（１２）が前記基準対物レンズに保存され、ズームテーブル（１１）が前記基準ズーム系に保存されることを特徴とする、請求項１に記載の方法。
【請求項３】
前記校正データＤＺＲｅｆが実ズーム曲線および補正係数を有する収差モデルを含み、歪み補正済み画像から実倍率が確定されることを特徴とする、請求項１または２に記載の方法。
【請求項４】
前記校正データＤＯＲｅｆが、前記ズーム系（０９）の特定の理想倍率βｉｄｅａｌに対する前記対物レンズ（１３）の実際にずれている歪み補正済み倍率βＯを含んでいることを特徴とする、請求項１〜３のいずれか１項に記載の方法。
【請求項５】
前記校正データが
−  前記基準ズーム系（０９）に取り付けられた前記対物レンズ（１３）の画像の補正が行われ、
−  以前に確定されたデータに対して前記基準対物レンズ（１０）を取り付けた前記基準ズーム系（０９）の逆補正が行われ、
−  前記以前に確定されたデータに対して前記ズーム系（１６）に基づく前記基準対物レンズ（１０）の画像の補正が行われることにより組み合されることを特徴とする、請求項１に記載の方法。
【請求項６】
前記ズーム系（１６）の前記校正データＤＺＲｅｆが、補正ズーム値の値を有するズームテーブル（１９）を含んでいることを特徴とする、請求項１〜５のいずれか１項に記載の方法。
【請求項７】
前記ズーム系（１６）の前記校正データＤＺＲｅｆが、歪みを補正するための補正係数を含んでいることを特徴とする、請求項６に記載の方法。
【請求項８】
前記ズーム系（１６）の前記校正データＤＺＲｅｆが、画像安定性を補正するための補正係数を含んでいることを特徴とする、請求項６または７に記載の方法。
【請求項９】
前記対物レンズ（１３）の前記校正データＤＯＲｅｆが、倍率補正係数を含んでいることを特徴とする、請求項１〜８のいずれか１項に記載の方法。
【請求項１０】
少なくとも電動化または符号化されたズーム系（１６）、対物レンズ（１３）、画像センサ（０６）、および画像処理装置を含むデジタル光学機器、特にデジタル顕微鏡であって、校正データＤＺＲｅｆが前記ズーム系（１６）の内部メモリに保存され、校正データＤＯＲｅｆが前記対物レンズ（１３）の内部メモリに保存されていて、各々の場合において校正データが、歪みを補正し、且つ倍率を補正するための補正係数を含み、前記画像処理装置内の前記デジタル顕微鏡を校正する役割を果たすデジタル光学機器。
【発明の詳細な説明】
【技術分野】
【０００１】
本発明は光学機器、特に、独立したズーム系および任意選択的に対物レンズを含むデジタル顕微鏡およびモジュール光学系を校正する方法に関する。また、本発明は、そのような方法が実装されているか、または本発明による方法の適用に適したデジタル顕微鏡またはデジタル光学系に関する。
【背景技術】
【０００２】
光学部品、すなわちズーム系および対物レンズの製造公差により、対物レンズの実際の倍率にせよ、または特定のズーム設定にせよ、画像表示に収差、すなわち中心からの画像のずれ、画像の歪み、色収差また他の収差が生じる。
【０００３】
収差とは、物体位置から発せられた各種光線の必ずしも全てが画像点状に集光されないことを意味する。最も重要な収差は、球面収差および色収差である。球面および色収差は、異なる種類のガラスの複数のレンズで作られた光学系により補正される。球面収差は、非球面レンズまたは勾配レンズにより補正される。当業者は、更なる補正方式、例えば無収差レンズ、入射角を小さくするレンズ分割、より高い屈折率を有する種類のガラス、瞳孔の縮小、および他の方式を認識している。例えば、ガラスプレート（平面プレート）では、開口角の増大に伴い増大する画像平面のずれまたは不鮮明さが生じる。
【０００４】
レンズによる結像では、常に多少なりとも誤差が生じやすい。例えば、顕微鏡の画像内に色縁またはいわゆる視野湾曲が生じる。このような収差は、主に対物レンズの巧みな設定により大幅に除去することができる。平面アクロマートレンズおよびアポクロマートレンズはこの例である。アポクロマート対物レンズの場合、顕微鏡の画像内の色縁は、対物レンズ内の異なる複雑なレンズ配置により抑制される。平面アクロマートレンズは、通常は顕微鏡の画像内で生じる視野湾曲が除去されるように補正される。
【０００５】
あらゆる対物レンズのうち、平面アポクロマートレンズは最も複雑な設計を有する。これらの対物レンズでは、平面アクロマートレンズの場合と同様に、視野湾曲が大幅に除去される。また、通常生じる赤および青色縁は、この極めて複雑な設計によりこれらの対物レンズ内で抑制される。これらの対物レンズは極めて高価であって、主として最も要求水準が高いカラー顕微鏡写真で用いられる。
【０００６】
ズーム系ではまた、ズーム設計の中心合わせの差異（画像安定性誤差）の結果として収差が存在する。更に、上述の収差はズーム範囲に応じて変動し得る。
製造公差は特に、結像される画質に大きな役割を果たす。モジュール的に設計されたデジタル顕微鏡の場合、収差は特に、ズーム系および対物レンズ光学部品、並びにその各々の公差の結果として増大し得る。
【０００７】
（特許文献１）に、第１の校正に基づいて倍率の全範囲にわたる校正を可能する立体顕微鏡の倍率を校正する方法が開示されている。対物レンズと接眼レンズの基準測定対を用いて、ズームを起動させることにより所定の実倍率が顕微鏡に設定される。この場合に存在するズームの個々のレンズの位置が調整されて各ズーム設定に対する名目倍率値が保存される。実倍率と名目倍率との間の計算比較により補正係数が計算され、当該補正係数を用いてズームの全範囲が校正される。これは単に、実倍率に関する補正に関係するものでしかない。
【０００８】
デジタル写真において、対物レンズの歪曲は、例えばソフトウェアにより手動で補正でき、カメラおよび対物レンズ用の総合的なデータベースが利用できなければならない。対物レンズの補正（歪み、色収差および口径食）は部分的に、カメラ（例：ソニー）のファームウェアを用いて内部的に実行される。
【０００９】
（特許文献２）に、ズーム光学装置およびデジタルカメラを備えた顕微鏡システムが記載されている。デジタル的に撮影された画像は、各倍率に対応する画像補正データに応じて補正装置（ＰＣ）内で補正される。ここに、画像補正データは、標準背景画像の写真画像データである。物体画像および標準背景画像に対応する排他的論理和演算が各画素について実行される。
【００１０】
（特許文献３）に、歪みの無いデジタル画像を作成する方法が実装されたデジタルカメラが開示されており、個別に存在するカメラ対物レンズ用に適合された理想的な画像歪みが可能になる。当該方法において、各々の種類のカメラ対物レンズの補正値が一旦実験的に決定され、その後同一種類の対物レンズを有する全てのデジタルカメラに保存される。ここで、歪み関数は、設定された焦点距離および撮影対象物体の距離に依存し、定数からなる２次元マトリクスとして確定されてデジタルカメラに保存することができる。ここで、これらの係数は保存されたマトリクスからの補間により確定することができる。
【００１１】
（特許文献４）および（特許文献５）に、デジタルカメラ用の歪み補正方法が開示されており、ズームおよび焦点設定に依存する係数がテーブルに保存されている。補正を行う間、より高次の多項式を用いる補間により中間値が確定される。
【先行技術文献】
【特許文献】
【００１２】
【特許文献１】独国特許第１０２２５１９３Ａ１号明細書
【特許文献２】独国特許第１０１１４７５７Ｂ４号明細書
【特許文献３】独国特許第１０２０１００２５８８８Ａ１号明細書
【特許文献４】米国特許第２００８／０２３９１０７Ａ１号明細書
【特許文献５】米国特許第２００９／０２６８０７８Ａ１号明細書
【非特許文献】
【００１３】
【非特許文献１】Ｔｈｅ  Ｗｏｒｓｔ  Ｄｉｓｔｏｒｔｉｏｎｓ  ｏｆ  Ａｓｔｒｏｍｅｔｒｉｃ  Ｉｎｓｔｒｕｍｅｎｔｓ  ａｎｄ  Ｏｒｔｈｏｎｏｒｍａｌ  Ｍｏｄｅｌｓ  ｆｏｒ  Ｒｅｃｔａｎｇｕｌａｒ  Ｆｉｅｌｄｓ  ｏｆ  Ｖｉｅｗ，Ｖａｌｅｒｉ  Ｖ．Ｍａｋａｒｏｖ，Ｄａｎｉｅｌ  Ｒ．Ｖｅｉｌｌｅｔｔｅ，Ｇｒｅｇｏｒｙ  Ｓ．Ｈｅｎｎｅｓｓｙ，＆  Ｂｅｍｊａｍｉｎ  Ｆ．Ｌａｎｅ；Ｕｎｉｔｅｄ  Ｓｔａｔｅｓ  Ｎａｖａｌ  Ｏｂｓｅｒｖａｔｏｒｙ，３４５０  Ｍａｓｓａｃｈｕｓｅｔｔｓ  Ａｖｅ．，ＮＷ，Ｗａｓｈｉｎｇｔｏｎ  ＤＣ
【発明の概要】
【発明が解決しようとする課題】
【００１４】
デジタル顕微鏡および他のデジタル光学アプリケーションにおいて、対物レンズおよびズーム系は、ズームが対物レンズと直接一体化されていない場合、それら自身内で構成可能であることが多い。すなわち、ズーム系を異なる対物レンズと共に用いることができる。ズーム系および対物レンズの両方から異なる収差が生じるため、満足な画質を得るには異なる補正を必要とする。
【課題を解決するための手段】
【００１５】
本発明は、デジタル顕微鏡または異なる光学系を校正する方法を明示することを目的とし、本方法は特に、モジュール系の製造工程を簡素化し、対物レンズが交換された場合に異なる収差に関して迅速且つ簡単な校正が可能になる。更に、そのような校正ロジックを有するデジタル顕微鏡を提供するものである。
【００１６】
上記の目的は、請求項１の特徴を含む方法、および請求項１０の特徴を含むデジタル顕微鏡により実現される。
本発明による方法は、（少なくとも光学モジュールとしてのズーム系および対物レンズを備えた）デジタル顕微鏡のモジュール要素を、各ケースで基準物体を用いて、適切且つ個別に校正することにより、系全体が簡単且つ特に迅速に校正された状態に達することを目標とする。
【００１７】
前提条件として、ズーム系の任意の位置に対する個別の校正を割当てる。これは、ズーム系がステッパモードで電動化または符号化されている場合、ズーム系の駆動により可能である。
【００１８】
ここで、本方法は以下のステップを含んでいる。
基準対物レンズを取り付けたズーム系の校正データＤＺＲｅｆを確定し、校正データＤＺＲｅｆをズーム系の内部メモリに保存する。更なるステップにおいて、基準ズーム系に取り付けられた当該対物レンズの校正データＤＯＲｅｆを確定し、校正データＤＯＲｅｆを当該対物レンズの内部メモリに保存する。次いで、画像センサにより得られた画像の適当なデジタル光学的補正により校正データＤＺおよびＤＯを組み合せる。これは、座標変換に関する数値演算であってもよい。
【００１９】
最初に、ズーム系の校正データＤＺＲｅｆを確定するステップについて、デジタル顕微鏡の特に好適な実施形態に基づいて説明する。
デジタル顕微鏡は、少なくとも対物レンズ、（多くの場合または通常）電動ズーム系、画像センサ、および画像処理用の論理装置または画像処理装置を含んでいる。論理装置は好適には、いわゆる光学エンジンにズーム系と合わせて構成されていて、ズーム系の１つ以上の駆動制御部、および更なる制御・評価要素も収納されている。対物レンズは、光学エンジン上で交換可能なように配置されている。対物レンズは有利な点として、自身のメモリおよび当該メモリから読み出すための電子インターフェースを含んでいる。
【００２０】
当然ながら、デジタル顕微鏡はまた、公知の仕方で、顕微鏡要素を起動させる制御装置および動作、画像観察および画像評価用の入出力装置を含んでいる。言うまでもなく、デジタル顕微鏡の場合、モニタ、キーボードおよび入出力装置としての動作成要素もまた、デジタル顕微鏡に接続された別々の要素として利用可能である。
【００２１】
同様に、デジタル顕微鏡は、モーター駆動により移動可能な物体載置台、任意選択的にピボット回動可能なスタンド、エピスコープおよび任意選択的にディアスコープ状の照明を提供する照明装置、およびここでは言及しない更なる要素を含んでいる。
【００２２】
ズーム系および対物レンズが異なる公差および収差を有する異なる光学モジュールであり、且つその製造は任意選択的に分散的になされるため、別々の校正が必要とされる。しかし、本方法はまた、対物レンズまたは光学エンジンの以降の交換において、有利に用いることができる。
【００２３】
電動ズーム系を含む光学エンジン（画像処理装置）の製造を行う間、任意選択的に複数のレンズアセンブリに取り付ける複数のモーターを所定個数増やした場合の実ズーム曲線が決定される。更に、画像安定性、開口調節および歪み補正等、ズーム系の実際の収差が確定され、最後に、上記から倍率制御および画像補正用のモデルが確定される。本発明によれば、当該校正は、基準対物レンズに基づいて新たに製造される全ての系に対して実行される。これにより、各ズーム系が常に同じ方法で校正されることが保証される。
【００２４】
対物レンズが製造された後、これらは基準ズーム系で均一に校正される。当該工程において、基準ズーム系と組み合せた実倍率が確定される。
有利な点として、基準対物レンズを取り付けた基準ズーム系の校正データも取得および保存される。
【００２５】
その後デジタル顕微鏡内の対物レンズが交換された場合、ズーム系の保存された校正データを用いて、当該対物レンズに保存された校正データおよび既知の基準データを用いる再校正に要する時間を短縮することができる。
【００２６】
光学系を組み立てる際の第１の校正は、各ケースにおける基準物体に対する校正に基づいて極めて簡単である。
特に、本発明の利点は、モジュール要素が分散的に製造可能でありながら一定の高品質な校正が保証された状態で、任意の系を任意の数の対物レンズと組み合せて校正できることに見られる。
【００２７】
当然ながら、校正プロセス自体が要件に応じて変更および適合可能である。
本発明の特に好適な実施形態について、図面に基づいて以下に更に詳細に説明する。
【図面の簡単な説明】
【００２８】
【図１】可動レンズ群が異なる位置にあるズーム系の模式図を示す。
【図２】各種の基準パターンの模式図を示す。
【図３】基準ズーム系および基準対物レンズを用いる第１の校正ロジックを示す。
【図４】基準ズーム系および任意の対物レンズを用いる第２の校正ロジックを示す。
【図５】任意のズーム系および基準対物レンズを用いる第３の校正ロジックを示す。
【図６】任意のズーム系に取り付けられた任意の対物レンズを用いる第４の校正ロジックを示す。
【発明を実施するための形態】
【００２９】
図１に、２個の可動レンズ群および１個の固定レンズ群を様々な位置に備えたズーム系０１の模式図を示す。第１の可動レンズ群０２は最初に焦点の設定を行い、一方第２のレンズ群０３は倍率βを設定する。レンズ群０２、０３は、ステッパーモータ（ここでは図示せず）により極めて小さい刻み幅で変位させることができる。デジタル顕微鏡が動作する間、２個のレンズ群の各々のモーター位置を保存する固定ズームテーブルがある。両方のモーターは好適には、特に迅速に所望のズーム設定に達するために同時に起動される。ズーム系０１は、公知の仕方で、対物レンズ０５およびズーム系０１を介して物体０４から画像センサ０６への光路内に配置されている。
【００３０】
基準対物レンズを取り付けたズーム系０１の校正データＤＺを確定するために、対物レンズ（例：対物面が設置された５×０．３対物レンズ）は最初に、本方法の好適な実施形態において、高い倍率（第１のレンズ群０２については）付近でのズーム動作だけを用いて、組み立てられたデジタル顕微鏡内で焦点合わせされる。
【００３１】
ここに記述する設置対物面は、基準物体を対物レンズの０５前方の有効距離に配置することができる機械式装置である。
次いで、対物レンズ０５は、ズームを動かすことなく、同型且つ同倍率の基準対物レンズ０６（黄金対物レンズとも称する）で代替される。
【００３２】
次いで、センサ面上に実際の画像中心点（固定点）が確定されるが、センサアセンブリが未調整且つ光学装置の中心合わせ公差に起因して絶対位置および方位の両方に関してセンサ中心点からずれている可能性がある。当該画像中心点は、特にズーミングにおいて、画像が丁度１個の点から拡大（且つ丁度１個の点に収縮）するように見えることを保証することが、重要である。有利な点として、画像中心は第２のズーム設定に基づく基準パターンを用いて確定され、ズーミング時のずれが最小化される。２個の大幅に異なるズーム設定（すなわち最大および最小倍率）を用いた場合、特に安定画像中心点が得られる。例えば、十字型または斜めパターン（図２ｃ、２ｂ）を、画像中心点を決定するための基準対物レンズとして用いることができる。校正のために評価されるセンサ面の中心点として固定点が選択される。対物面への射影は従って、図２の校正パターンの中心点に一致する筈である。
【００３３】
ズーム曲線を決定するために、好適には連続的に９個のズーム設定を実行して焦点を設定する。この場合、５個のズーム設定（１）〜（５）だけを図示している。例えば、当該設定は、第２の可動レンズ群０３に実行されるズーム設定および第１の可動レンズ群０２により焦点合わせが行われた基準パターンにより実現することができる。この目的のため、図２ａに示す格子状の基準物体０７を利用することができ、これは任意選択的に、ズーム設定を実施するのと同程度に多くの異なるサイズで利用可能に保たれていなければならない。代替的に、求められる偏差値が各ズーム設定内で確定できることが確かな場合、極めて微細な格子状の基準物体を用いることができる。
【００３４】
図示した例において、格子状の基準物体０７は、平面上に行および列として等間隔ｘに配置された所定サイズの穴０８を有する穿孔マスクである。実際に設定される倍率βは、格子状の基準物体０７上の穴０８の既知の間隔ｘおよび画像センサ０６の表示から計算することができる。これは更に、以下により詳しく述べる歪み補正を既に含んでいてよい。
【００３５】
ズーム曲線の決定に加え、好適には歪み補正モデルも確定され、これを利用して光学装置の色収差および歪みをデジタル的に補正することができる。
従って、ズーム曲線を決定した結果は、好適には９個の異なるズームレベルについて倍率β、モーター位置および、任意選択的に、（黄金対物レンズを取り付けたズーム系の）歪みおよび画像安定性のための補正係数が保存されたテーブルである。
【００３６】
対物レンズを校正するために、これらは基準ズーム系で用いられ、実対物レンズデータが決定されて歪み補正が実行される。
歪みを補正する場合、歪みモデルは、異なるズーム設定における位置誤差ベクトルから補間されたより高次の多項式により基準テーブルから形成され、各カラーチャネル基準画像に対して１１個の位置誤差係数が確定される。また、画像安定性誤差係数を確定することができ、関連付けられた倍率に対するズームモーター位置を取得して歪みモデルに保存することができる。
【００３７】
歪みモデル、すなわち係数、倍率、および恐らくは更なる値が、短縮ズームテーブルに保存される。この短縮ズームテーブルは好適には、４本のラインを含み、好適には３次の補償多項式の係数を含んでいるため、任意の倍率における上述の値の計算が可能になる。
【００３８】
短縮ズームテーブルは、以下の多項式を用いて任意の倍率βに対して拡張可能である。
各ズーム位置ｉについて歪みの係数の大きさが決定される。倍率βは各ズーム位置ｉに属する。そのサイズは、短縮ズームテーブルへの入力項目を用いてβから決定される。
【００３９】
ここに、以下は歪み補正係数ａにあてはまる。
【００４０】
【数１】
2015031957.tif 000003
ここに、ｍは３個のカラーチャネル赤、緑および青を表し、各ケースにおけるｎは１〜１１までの値を想定している。
また、以下は画像安定性補正係数Ｉにあてはまる。
【００４１】
【数２】
2015031957.tif 000004
ここに、ｍは座標値ＸおよびＹを表し、ｉ０＝１・・・３は短縮ズームテーブルの値である。
【００４２】
要するに、異なる校正処理が用いられる。
最初に、基準対物レンズ１０を取り付けた基準ズーム系０９が校正される（図３）。図面において、基準系をより識別し易くするために陰付き表示している。この目的のために、ズーム曲線、歪み補正および画像安定性補正用の校正マスクが結像されて、画像データを処理する際に対応する補正に用いられる。
【００４３】
歪み補正済みの画像を用いて、基準対物レンズと併用する基準ズーム系の最終実倍率（β＝０．５．．．５またはβ＝５．．．２５）を確定することが可能である。
基準ズーム系と基準対物レンズの組み合せに対するズームテーブル１１が生成されて、基準ズーム系の内部メモリに保存される。歪み係数をフィッティングすべく校正テーブル１２（４×３３）として短縮ズームテーブルが基準対物レンズに保存される。
【００４４】
図４は、基準ズーム系０９に取り付けられた任意の対物レンズ１３がどのように校正されるかを示す。
基準ズーム系０９を用いて、モデルの９個の理想β位置を近似し、基準ズーム系０９に取り付けられた対物レンズ１３の実際にずれている歪み補正済み倍率が確定されて対物レンズ１３の内部メモリに校正データ１５として保存される。ここで、β位置は、基準パターンが生成された倍率である。任意選択的に、基準対物レンズ１０から新規の対物レンズ１３に取り換えた際の画像の急激な変化をベクトルとして対物レンズ１３の内部メモリに保存することも可能である。この値は後で更なる処理を施される場合がある。
【００４５】
歪みは、理想倍率により補正される。この目的のために、カラーチャネル１１毎に４個の理想倍率に対して、モデル係数が対物レンズの内部メモリのテーブル１４に保存される。
【００４６】
図５を用いて、基準対物レンズ１０を取り付けた任意のズーム系１６がどのように校正されるかを説明する。基準ズーム系に取り付けられた基準対物レンズ１０の校正テーブル１２が後続の計算用にテストズームに保存される。参照ズーム０９と基準対物レンズ１０の組み合わせについて図３で説明したように、固定点を決定し、焦点が合った結像のための９個のズーム位置を決定し、ズーム曲線用の校正マスクを結像し、歪みを補正して画像安定性を補正するステップが実行される。視野絞りおよび開口絞りの動作が確定される。歪み補正により、最終的な倍率βが基準対物レンズとズーム系の接続部に生成される。
【００４７】
歪み係数ａｍ，ｎおよび画像安定性補正係数Ｉを有するモデル１８が、βｉｄｅａｌを介して確定されてズーム系に４×３５マトリクス形式で保存される。
視野絞りおよび開口絞りのβｉｄｅａｌ、可動レンズ群０２、０３の位置、またはその対応するモーター増分を含む短縮ズームテーブル１９も同様にズーム系に保存される。
【００４８】
図６を用いて、任意の対物レンズ１３を取り付けた任意のズーム系１６を校正したい場合の手順を説明する。この点に関して、上で説明したように、基準となる対応部材を取り付けた全てのズーム系および全ての対物レンズが校正され、対応するテーブルが各々の内部メモリに保存されることに留意されたい。
【００４９】
テーブルまたはモデル１２、１８、１９がズーム系１６の内部メモリから読み出される。テーブル１４、１５は対物レンズ１３の内部メモリから読み出される。
ズーム系１６と対物レンズ１３の特定の組み合せに対する参照テーブル２０が、ズームテーブル１９に列β０を追加することにより、光学エンジン内に生成される。ここで、対物レンズ倍率βＯの列は、β校正テーブル１５からのスプライン補間により得られる。これはズームの制御および画像データの評価に利用可能である。
【００５０】
９個の歪み補正係数は、Ｃ＿Ｚ＋ＯＲ（［Ｃ＿ＺＲ＋ＯＲ］−１（Ｃ＿ＺＲ＋Ｏ（Ｏ上のＺの画像）））として確定された係数から計算される。
この目的のために、全体的な結像補正は抽象的に、補正が付随する個々の結像レベルの連続的な実行と考えられる。テーブル１４により特徴付けられる、基準ズーム９（Ｃ＿ＺＲ＋Ｏ））に取り付けられた対物レンズ１３の画像の補正が対物レンズ１３を取り付けたズーム系１６の画像に適用される。これに続いて、校正テーブル１２により特徴付けられる基準ズーム０９［Ｃ＿ＺＲ＋ＯＲ］−１に対する基準対物レンズ１０の逆補正が適用され、次いで、モデル１８により特徴付けられるズーム系１６Ｃ＿Ｚ＋ＯＲに対する基準対物レンズ１０の補正が適用される。
【００５１】
単一の歪み補正ステップにおいて上述の３個の部分的補正を連続的に実行するための歪み補正係数の計算は、各補正ステップを通じて存在する穴０８の画像座標、および、好適には９個の倍率および３個の波長（カラーチャネル）の最終的な座標から確定される位置偏差の係数により実現される。ズームテーブルは、短縮ズームテーブルと同様に、βを用いてフィッティングされた係数により計算される。
【００５２】
歪み補正モデルの確定は（非特許文献１）に基づいている。
基準ズーム系に取り付けられた、例えば１．６倍または０．５倍等の異なる倍率を有する対物レンズに対しても歪み係数が同様に確定され、各々の標準β、β＝βｉｄｅａｌ＊（３２．９／９９）またはβ＝βｉｄｅａｌ＊（３２．９／３００）とフィッティングされる。倍率変換テーブルおよび歪みフィッティング係数テーブルは各々、対物レンズ１３の内部メモリに保存される。これにより全体的な参照テーブルが、５倍対物レンズに対して例示的な仕方で上述のように正確に生成される。相応に異なる仕方で全体倍率だけが計算される。
【００５３】
当業者であれば同様の方法を容易に想到して応用できよう。
任意選択的に対物レンズおよびズーム系の校正データ用に他の記憶場所を選択することもまた本発明の範囲に含まれる。例えば、各々の内部メモリにＩＤを保存し、関連付けられたテーブルを中央データベースに保存することが考えられる。
【００５４】
有利な点として、直近の１０個（ｘ）の接続された対物レンズの直近の１０個（または他の任意の個数）の参照テーブルが履歴に保存される。これにより、交換が比較的頻繁に生じる場合でも、購入された対物レンズを用いて直ちに作業に入れることが保証される。履歴は当然ながら要件に適合することができ、１０個より多いかまたは少ないエントリを含んでいてよい。
【００５５】
上の記述は、直接駆動部を備えた２個のズーム機構およびズームに伴い変動する視野絞りおよび開口絞り直径を備えた系を例示するものと解釈されたい。これらの要素は、本発明の概念を実装するために必須ではない。対応する要素、これらを備えていないズーム系では省略することができる。例示的に、ＳＧ１およびＳＧ２は、駆動部の位置に代えて、２個の直接駆動部を備えたズーム系を表す。後者は、モーター位置、エンコーダ位置、機械的ラッチング、または公知の技術的な手段を有する別途設計されたトランスデューサで代替可能である。
【００５６】
本発明の内容はまた、参照テーブル２０の内容が、列β＿Ｏ４により補完される１１と同様のズームテーブルおよび１２と同様の短縮ズームテーブルにより実現されるならば保持される。
【符号の説明】
【００５７】
０１  ズーム系
０２  第１の可動レンズ群
０３  第２の可動レンズ群
０４  物体
０５  対物レンズ
０６  画像センサ
０７  格子状の基準物体
０８  穴
０９  基準ズーム系
１０  基準対物レンズ
１１  ズームテーブル
１２  校正テーブル
１３  対物レンズ
１４  テーブル
１５  校正テーブル
１６  ズーム系
１７  −
１８  モデル
１９  短縮ズームテーブル
２０  参照テーブル
【図１】
2015031957.tif 000005
【図２】
2015031957.tif 000006
【図３】
2015031957.tif 000007
【図４】
2015031957.tif 000008
【図５】
2015031957.tif 000009
【図６】
2015031957.tif 000010